(57)【要約】  【課題】  不測の事態によりカメラの記録ミスを防止することができる録画装置を提供する。  【解決手段】  画像情報を出力するカメラにそれぞれ接続される複数のカメラ接続部５１，５２と前記カメラ接続部３１，３２に接続されたそれぞれのカメラ５０から受信したそれぞれの画像情報をカメラごとに対応させた１つの記録画像情報へ変換する画像処理部２１と、前記画像処理部２１により処理された記録画像情報を記録する画像記録部２６と、前記カメラに接続されたカメラ接続部３１，３２を特定する接続状況設定部２２，２７と、前記接続情報設定部２２，２７によって設定されたカメラからの画像情報の受信が停止すると、警告情報を発信する警報処理部２４と、を備える。【選択図】  図３
2012029191.tif 000002
【特許請求の範囲】
【請求項１】
画像情報を出力するカメラにそれぞれ接続される複数のカメラ接続部と、
前記カメラ接続部に接続されたそれぞれのカメラから受信したそれぞれの画像情報をカメラごとに対応させた１つの記録画像情報へ変換する画像処理部と、
前記画像処理部により処理された記録画像情報を記録する画像記録部と、
前記カメラに接続されたカメラ接続部を特定する接続状況設定部と、
前記接続情報設定部によって設定されたカメラからの画像情報の受信が停止すると、警告情報を発信する警報処理部と、を備えることを特徴とする、録画装置。
【請求項２】
前記警報処理部は、画像情報の受信が停止したカメラ接続部に応じて異なる警告情報を発信することを特徴とする、請求項１に記載の録画装置。
【請求項３】
さらに、警報処理部による警報情報を発信するための予備電源を備えることを特徴とする、請求項１又は２に記載の録画装置。
【請求項４】
前記接続状況設定部は、前記カメラ接続部に対応して設けられたスイッチで構成されていることを特徴とする、請求項１から３のいずれか１つに記載の録画装置。
【発明の詳細な説明】
【技術分野】
【０００１】
本発明は、ビデオカメラを接続し、所定領域を常時録画可能な録画装置に関する。
【背景技術】
【０００２】
現在、防犯などの観点から、監視カメラが至る所に設けられ、監視カメラにより記録された映像が記録、再生されており、このための装置が各種用いられている。この装置としては、例えば、特許文献１に開示された防犯映像管理システム等が知られている。
【先行技術文献】
【特許文献】
【０００３】
【特許文献１】特開２００６−１６０４９１号公報
【発明の概要】
【発明が解決しようとする課題】
【０００４】
しかし、このような監視カメラの用途は多種多様である。例えば、エレベータや建物内の防犯装置、屋外への設置であっても市街地に設置される防犯カメラのように、予め設置対象にカメラ等の取り付け箇所を設け、内部に配線を行ない別途設けられる防犯センターで監視、記録されるようなシステムであれば、カメラやシステムのメンテナンスは行ないやすく、記録障害などの問題にも迅速に対応することができる。
【０００５】
一方で、工事現場の仮設足場を利用した建物への侵入防止のために一時的に設置される防犯システムなどもある。
【０００６】
このような野外に一時的に設置されるシステムにおいては、カメラから記録装置への配線を内部に隠すこともできず、また、記録装置も屋外に設置せざるを得ない場合もある。このようなシステムにおいては、外部に露出したカメラ又はケーブルなどが損傷することがあり、記録ができなくなるという問題もあった。
【０００７】
本発明が解決しようとする技術的課題は、上記の問題を解消し、不測の事態によりカメラの記録ミスを防止することができる録画装置を提供することである。
【課題を解決するための手段】
【０００８】
本発明は、上記課題を解決するために、以下の構成の録画装置を提供する。
【０００９】
本発明の第１態様によれば、画像情報を出力するカメラにそれぞれ接続される複数のカメラ接続部と、
前記カメラ接続部に接続されたそれぞれのカメラから受信したそれぞれの画像情報をカメラごとに対応させた１つの記録画像情報へ変換する画像処理部と、
前記画像処理部により処理された記録画像情報を記録する画像記録部と、
前記カメラに接続されたカメラ接続部を特定する接続状況設定部と、
前記接続情報設定部によって設定されたカメラからの画像情報の受信が停止すると、警告情報を発信する警報処理部と、を備えることを特徴とする、録画装置を提供する。
【００１０】
本発明の第２態様によれば、前記警報処理部は、画像情報の受信が停止したカメラ接続部に応じて異なる警告情報を発信することを特徴とする、第１態様の録画装置を提供する。
【００１１】
本発明の第３態様によれば、さらに、警報処理部による警報情報を発信するための予備電源を備えることを特徴とする、第１又は第２態様の録画装置を提供する。
【００１２】
本発明の第４態様によれば、前記接続状況設定部は、前記カメラ接続部に対応して設けられたスイッチで構成されていることを特徴とする、第１から第３態様のいずれか１つの録画装置を提供する。
【発明の効果】
【００１３】
本発明によれば、カメラ接続部に複数のカメラを接続可能であり、それぞれのカメラから送信された画像情報を１つの記録画像情報へ変換して記録することができる。このとき、ケーブルの切断、電源コンセントからの脱落などの諸般の事情によりカメラからの映像情報の受信が停止すると、記録画像情報への変換の処理に障害をきたすため、受信停止をより確実に認識することができ、これにより得られた情報により警告情報を発信して受信障害が生じていることを通知することができる。
【００１４】
また、カメラ接続部に応じて異なる警告情報を発信させることにより、どのカメラに障害が生じたのかを確実に認識することができる。
【００１５】
また、録画装置の主電源が途絶えた場合など装置としての動作を確保できなくなった場合であっても、予備電源を備えることで警報情報の発信を行うことができる。
【図面の簡単な説明】
【００１６】
【図１】本発明の実施形態に係る録画装置の外観を示す概略斜視図である。
【図２】図１の記録装置のケーシングの構成を示す分解図である。
【図３】図１の記録装置の機能ブロック図である。
【発明を実施するための形態】
【００１７】
以下、本発明の実施の形態について、図面を参照しながら詳細に説明する。
【００１８】
図１は、本発明の実施形態に係る録画装置の外観を示す概略斜視図である。録画装置１は、工事現場の仮設足場などの野外に設置され、複数台のビデオカメラを接続し、それぞれ接続されたビデオカメラからの画像をまとめて記録するための装置である。
【００１９】
録画装置１は、内部に水が侵入しないように構成された略直方体形状のケーシング２の内部に、カメラから受信した画像を処理して記録するための構成部材が収納されている。録画装置１の大きさは、幅Ｗ２０ｃｍ、奥行きＤ１０ｃｍ、高さＨ１５ｃｍ程度の小型のものであり、取り付け場所に大きなスペースを必要としない。
【００２０】
ケーシング２は、図２に示すように、四角筒状のケーシング本体３と、ケーシング本体３の上側の開口を密閉するように固定される蓋部材４と、内部部材７を保持しケーシング本体３内に設けられる底板５を備える。
【００２１】
ケーシング本体３は、上下が開口した筒状の部材であり、側面に底板固定用の貫通孔９が設けられている。ケーシング本体３の上側開口には、蓋部材４が配置され、蓋部材の側壁１０によって、開口からの雨水などの侵入が防止される。
【００２２】
また、ケーシング本体３の上部を開放し、脱着可能な蓋部材で水密に構成することにより、蓋部材の脱着により、例えば、後述する設定スイッチの切り替えなど内部部材の設定ややバッテリなどの部品交換などを容易にすることができる。
【００２３】
底板５は、ケーシング本体３の内部断面形状とほぼ同じ形状の載置部１１と、載置部１１の両側方に下向きに設けられた固定部１２とを備える。
【００２４】
載置部１１には、ケーブルを外部に導くための切り欠き１４が設けられている。ケーブルとしては、録画装置１の外部電源との電力ケーブル４１及び、後述する電源コネクタ及び画像コネクタと接続されるカメラの電源ケーブル５２ａ，５２ｂ及び画像ケーブル５１ａ，５１ｂである。
【００２５】
固定部１２にはケーシング本体３と底板５との固定用のネジ孔１３が設けられており、ケーシング本体３の貫通孔９を通してネジ孔１３にビス６を配置し、ビス留めすることによってケーシング本体３と底板５とが固定される。底板５の固定部１２は、内部部材７が載置される載置部１１よりも下向きに設けられているため、ビス６の隙間を通って雨水などが侵入したとしても内部部材７に到達することがない。よって、ケーシング２の内部に配置される内部部材７は、雨などの上方からの浸水を防止することができる一方で、ケーブルの外部への引き回しを容易にし、簡単な構成でケーシングに水密構造を付与することができる。
【００２６】
ケーシング３の内部に収納される内部部材７は、図３に示すような機能ブロックを構成する回路部材である。録画装置１は、図３に示すように、第１カメラ５０ａ及び第２カメラ５０ｂの２つのカメラに接続された場合について記載しているが、後述のように本実施形態にかかる録画装置は４台のカメラと接続することができる。
【００２７】
録画装置１は、制御演算部２０、バッテリ２５，記録部２６，設定スイッチ２７，画像出力部２８，スピーカ２９、画像受信部３０、画像コネクタ３１ａ〜３１ｄ、電源コネクタ３２ａ〜３２ｄを備える。
【００２８】
制御演算部２０は、装置全体の動作の制御演算を司るものであり、画像処理部２１，設定変更部２２，接続確認部２３，警報処理部２４の４つの機能ブロックを内包する。
【００２９】
バッテリ２５は、予備バッテリとして機能するものであり、通常の動作時における電力を装置に供給するものではなく、外部電源４０に接続された電力ケーブル４１から電力が装置に供給されなくなった場合に、警報を発信させる動作に使用されるものである。したがって、比較的小型のバッテリで十分であり、録画装置１を小型に構成することができる。
【００３０】
記録部２６は、録画装置１に接続されたカメラから送られた画像データを記録するためのものであり、半導体メモリやハードディスクドライブなどを使用することができる。
【００３１】
設定スイッチ２７は、録画装置１の各種設定、具体的には、カメラに接続されたコネクタの設定を行なうものである。設定スイッチは、例えば、コネクタに対応したオンオフスイッチなどで構成することができ、カメラが接続されたコネクタに対応するスイッチの切り替えを調整する等で設定することができる。
【００３２】
画像出力部２８は、記録部２６に格納された画像データを外部のモニタなどへ出力するためのものである。画像出力部２８としては、画像転送のためのインターフェースであってもよいし、例えば電子計算機と接続して、制御演算部を外部から操作するための情報の送受信を行なうためのハブなどであってもよい。
【００３３】
画像コネクタ３１ａ〜３１ｄは、本録画装置１に接続されるカメラ５０ａ，５０ｂの画像ケーブル５１ａ，５１ｂを接続するためのコネクタである。カメラ５０ａ，５０ｂからそれぞれ送られた画像情報は、画像受信部３０を介して、制御演算部２０へ送られ、画像処理部２１により処理される。
【００３４】
電源コネクタ３２ａ〜３２ｄは、本録画装置１に接続されるカメラ５０ａ，５０ｂへ電力を供給するための電力ケーブル５２ａ，５２ｂが接続されるためのコネクタである。
【００３５】
録画装置１に接続されるカメラは、撮影した画像を画像データとして出力することができるカメラである。カメラは、静止画を撮像するスチルカメラであってもよいし、動画を撮像するムービーカメラであってもよい。また、可視光による撮影のものに限らず、赤外線カメラを用いてもよい。
【００３６】
次に録画装置１の動作について説明する。録画装置１とカメラの取り付け位置を決定したあと、カメラの画像ケーブルと電力ケーブルを録画装置１まで引き回し、画像コネクタ及び電源コネクタと接続する。カメラは、上記の通り、録画装置１に４台まで設置することができる。本実施形態では、２つのカメラを取り付けたものとして説明を進める。
【００３７】
本実施形態にかかるカメラは、工事現場の夜間侵入を監視するために用いられ、周囲が暗い状況でも撮影可能とするために、赤外線カメラに赤外線の光源を備えたものを用いる。
【００３８】
カメラが接続されたコネクタに対応する設定スイッチを接続側に切り替えると、カメラから出力された画像データの処理が開始される。設定変更部２２は、どのコネクタにカメラが接続されているかについての設定変更の状況を記録する。
【００３９】
カメラから連続的あるいは間欠的に送られてくる画像データは、画像処理部２１によってカメラごとに対応させた１つの記録画像情報へ変換される。このとき、接続確認部２３は、設定されているカメラからの画像データを受信しているかどうかを常時確認する。設定変更部２２によるカメラの画像受信の確認は、例えば、画像データに含まれる同期信号などを確認することによって行なってもよい。
【００４０】
画像処理部２１は、例えば、画像情報にどのカメラの情報であるかを付与してカメラとの対応付けを行ない、記録画像情報を作成する。記録画像情報は、記録部２６に記憶される。
【００４１】
記録部２６に記録された記録画像情報は、画像出力部２８を介して外部の装置へ出力され、モニタなどの表示装置で確認することができる。
【００４２】
画像処理部２１が、記録部２６への画像の記録中に、カメラの故障、電源ケーブル及び画像ケーブルの脱落、切断、外部電源４０に接続された電力ケーブル４１の脱落切断などによりカメラからの画像データの受信が確認できない場合は、次の処理を行なう。
【００４３】
カメラの故障や電源ケーブル及び画像ケーブルの脱落、切断により、接続確認部２３が１つのカメラからの画像が確認できない場合は、警報処理部２４により下記の通り警告情報の発信を行なう。
【００４４】
また、電力ケーブル４１の脱落・切断により、録画装置の動作が行なわれなくなったときは、バッテリ２５からの電力駆動に切り替えられ、警報処理部２４により警告情報の発信を行なう。
【００４５】
警告処理部２４は、まず、画像情報の受信の確認ができない場合は、画像が受信できないカメラを特定し、予め定められた音声警報をスピーカ２９から発声させる。
【００４６】
なお、このときにスピーカ２９から発声する音声については、カメラごとに異ならすようにしてもよい。また、電力ケーブルの脱落・切断により、すべてのカメラからの受信を確認できない場合についても、音声を異ならすようにしてもよい。
【００４７】
上記の通り、本発明の録画装置によれば、屋外に設置され、ケーブルの脱落などにより画像データの記録ができなくなった場合であっても、警報を発することにより、障害を解消することができる。
【産業上の利用可能性】
【００４８】
本発明の録画装置は、工事現場などの監視システムのように、一時的に屋外に設置されるような監視カメラの画像記録装置として広く利用することができる。
【符号の説明】
【００４９】
１  録画装置
２  ケーシング
３  ケーシング本体
４  蓋部材
５  底板
７  内部部材
９  貫通孔
１０  側壁
１１  載置部
１２  固定部
１３  ネジ孔
１４  切り欠き
２０  制御演算部
２１  画像処理部
２２  設定変更部
２３  接続確認部
２４  警報処理部
２５  バッテリ
２６  記録部
２７  設定スイッチ
２８  画像出力部
２９  スピーカ
３０  画像受信部
３１ａ〜３１ｄ  画像コネクタ
３２ａ〜３２ｄ  電源コネクタ
【図１】
2012029191.tif 000003
【図２】
2012029191.tif 000004
【図３】
2012029191.tif 000005